【事件の表示】
　商願２０１４−５１２３８拒絶査定不服審判事件について、次のとおり審決する。
【結　論】
　原査定を取り消す。
　本願商標は、登録すべきものとする。
【理　由】
第１　本願商標
　本願商標は、別掲のとおりの構成からなり、第２９類に属する願書に記載のとおりの商品を指定商品として、平成２６年６月１９日に登録出願、その後、指定商品については、同年８月８日受付の手続補正書により「トマト風味のハヤシライスのもと，トマトを使用してなるハヤシライスのもと，トマト風味のレトルトパウチ入り調理済みハヤシライスソース，トマトを使用してなるレトルトパウチ入り調理済みハヤシライスソース」と補正されたものである。
　
第２　原査定の拒絶の理由の要点
　原査定は、「本願商標は、『完熟トマトの』及び『ハヤシライスソース』の文字を、未だ普通に用いられる域を脱しない程度に上下二段に表してなるものであるが、その構成中の『完熟とまと』の文字は、『完全に熟したトマト』程の意味合いを容易に認識させるものであり、また、『ハヤシライスソース』の文字は、『薄切りの牛肉・玉葱を炒め、トマトケチャップやドミグラスソースなどを入れて煮込み、飯の上にかけた洋風料理』である『ハヤシライス』に用いる『ソース』を表す商品名『ハヤシライスソース』を無理なく認識させるものである。そうすると、本願商標は、構成全体より、『完熟トマトを使用したハヤシライスソース』の意味合いを認識させるにとどまり、これをその指定商品に使用しても、単に商品の品質、原材料を普通に用いられる方法で表示するにすぎないものであるから、商標法第３条第１項第３号に該当する。」旨認定、判断し、本願を拒絶したものである。
　
第３　当審の判断
１　商標法第３項第１項第３号該当性について
　本願商標は、別掲のとおり、肉太の文字をもってやや特徴を持たせた書体の「完熟トマトの」の文字と普通の書体の「ハヤシライスソース」の片仮名とを２段に横書きしてなるところ、その構成中の「完熟トマト」の文字は、「完熟」の語が「果実または種子が十分熟し、内容も充実した状態になること。」（「広辞苑第六版」株式会社岩波書店発行）を意味するものであるから、「十分に熟したトマト」の意味合いを容易に認識させるものであり、また、「ハヤシライスソース」の文字部分は、「ハヤシライス」の語が「薄切りの牛肉・玉葱を炒め、トマト−ケチャップやドミグラス−ソースなどを入れて煮込み、飯の上にかけた洋風料理。」を意味し、「ソース」の語が「西洋料理の調味に用いる液体。」等を意味するもの（いずれも「広辞苑第六版」株式会社岩波書店発行）であるから、「ハヤシライス用のソース」であることを容易に認識させるものである。
　してみると、本願商標は、全体として「十分に熟したトマトを使用したハヤシライス用のソース」ほどの意味合いを容易に認識させるものというのが相当である。
　そして、本願商標の構成中の「完熟トマトの」の文字部分は、やや特徴ある書体で表されているものの、依然として「完熟トマトの」の文字を表してなるものと直ちに把握し得るものであるから、商品の出所を表すほどに特徴的な書体で表されたものとはいい難いものであり、未だ普通に用いられる方法で表示するものといえるものである。
　そうすると、本願商標をその指定商品に使用した場合、これに接する取引者、需要者は、その構成全体から上記意味合いを把握、理解し、商品の品質を表示するものと認識するにとどまるというのが相当である。
　したがって、本願商標は、商品の品質を普通に用いられる方法で表示する標章のみからなる商標といえることから、商標法第３条第１項第３号に該当する。
２　商標法第３条第２項該当性について 
　請求人は、本願商標は、使用をされた結果、需要者が請求人の業務に係る商品であることを認識することができるものであるから、商標法第３条第２項の規定により商標登録を受けることができるものである旨主張し、その証拠方法として、原審において第１号証ないし第１５号証（以下、審決においては「原審１ないし１５」として扱う。）及び当審において甲第１号証ないし甲第１８号証を提出しているので、以下検討する。
（１）商標の使用
　請求人（以下、請求人の子会社を含めていう場合がある。）は、本願商標とほぼ同一といえる構成態様で「完熟トマトの」の文字と「ハヤシライスソース」の文字とを赤字（「ハラシライスソース」の文字が黒字のものを一部に含む。）で２段に横書きしてなる標章（以下「使用標章」という。）を、商品の包装の中央に大書して使用している（原審１ないし４）。
　また、使用標章の商品の包装への使用は、１９９６年から「ハヤシライスのもと」である「ルウ」に使用し、１９９７年からはこれに加えて「調理済みのハヤシライスソース」に使用していることが認められる（原審２及び５）。
　なお、同包装には、請求人を表す「ｈ」の欧文字のロゴ図形及び「ｈｏｕｓｅ」の欧文字を筆記体風に表した文字（以下「欧文字ロゴ」という。）が表されている（原審２ないし４）。
　そして、この使用標章を付した商品（以下「使用商品」という。）は、１９９６年８月８日から全国販売を開始している（原審５）。
（２）使用商品の売り上げ等
　株式会社インテージによる「（株）インテージＳＲＩ月次データ　ルウハヤシ市場　２００２年４月〜２０１４年３月　各年４月〜翌年３月計」の資料によれば、「ルウハヤシ市場」における使用商品の実績は、２００２年度以降、使用商品の推計販売規模が、年間２０億円を超えており、２０１３年度では、全商品の推計販売規模が約５７億円であるのに対し、使用商品の推計販売規模が約２２億円であり、約４０％近い販売シェアであるといえる（原審６）。
　なお、「ルウハヤシ市場」については、資料中の「主要ブランド」における請求人に係る各商品を見ると、「ハヤシライス用のルウ」及び「ハッシュドビーフ用のルウ」を含めたものであると推認できる。
　また、日本食糧新聞が提供するＰＯＳデータでは、２０１３年４月ないし２０１５年５月の月次データにおいて、使用商品は、「インスタントカレー」の分野において、取扱店舗当たりの金額が毎回ほぼ４位ないし６位に入っており、金額シェアにおいても、常に４％から５％のシェアとなっている（なお、１位の商品のシェアでも１０％前後である。）。そして、該分野における上位１０位以内の商品は、使用商品以外はいずれもカレーの商品であり、使用商品と同じ種類の商品は認められない（原審７及び甲２）。
（３）使用商品の宣伝広告
　請求人は、使用商品に関する広告について、テレビＣＭを積極的に行っており、１９９８年４月以降のテレビＣＭにおいて、ＣＭの最後に使用商品がテレビ画面に映し出され、使用標章を視聴者が確認できる内容となっていることが認められる（原審１１）。
　そして、このテレビＣＭについては、広告会社４社の集計による放送回数の証明書によれば、全国のテレビ局における放送回数の総計（テレビＣＭの内容が証明されている１９９８年４月以降で集計）は、４１万５０００回弱となっている（原審１２）。
（４）使用商品の認知度
　２００８年１２月付の株式会社日本能率協会総合研究所公表の「ハヤシライスの作り方・食べ方」に関する調査結果において、首都圏、京阪神の２０歳から５９歳の既婚女性を対象（サンプル数６７６票）に行った「知っているハヤシライスのルー」を尋ねた調査では、「完熟トマトのハヤシライスソース（ハウス食品）」を知っている人が８２．５％に達しており（原審１３）、さらには、東京商工会議所から、本願商標を請求人が１９９６年８月から継続して使用したことで、取引者及び需要者の間で広く認識されていることの証明書が提出されている（原審１５）。
（５）小活
　以上のとおり、請求人は、１９９６年８月から使用標章を商品「ハヤシライスのルウ」に使用し、該商品の全国販売を開始している。使用商品は、２００２年以降の長年にわたり毎年２０億円を超える販売額を有し、その市場において圧倒的なシェアを有しているものである。さらには、使用商品のテレビＣＭを継続して行い、大々的な宣伝広告がなされてきたといえるものである。
　そして、このような販売実績及び宣伝広告実績に基づき、２０歳から５９歳の既婚女性を対象とした調査において、８２．５％が「完熟トマトのハヤシライスソース（ハウス食品）」を認知しているとの調査結果が出ているものがあることから、需要者の間における使用商品の認知度は高いものといえるものであり、さらには、東京商工会議所からも、本願商標が請求人の商標として需要者に周知である証明書が提出されている。
　また、使用商品の包装には、使用標章とともに、請求人を表すロゴ図形及び欧文字ロゴが表されている。
　そうすると、使用商品に係る使用標章は、使用をされた結果、需要者が請求人の業務に係る商品であることを認識するに至ったものというのが相当であるから、本願商標は、使用標章と色彩に違いがあるものの、その指定商品に使用するときは、これに接する取引者、需要者が請求人の業務に係る商品であることを十分に認識し得るといえるものであり、商標法第３項第２項の要件を具備するものというのが相当である。
３　まとめ
　以上のとおりであるから、本願商標は、商標法第３条第１項第３号に該当するものの、同法第３条第２項の規定により商標登録を受けることができるものであるから、原査定は、取消しを免れない。
　その他、本願について拒絶の理由を発見しない。
　よって、結論のとおり審決する。